(57)【要約】【課題】磁気ヘッドスライダの電極パッドとサスペンションの電極パッドが半田接合された磁気ヘッドアッセンブリの半田群を同時に切断して磁気ヘッドスライダをサスペンションから切り離す際に用いるリワーク用切断治具を得る。【解決手段】下縁部と両側縁部を有し、該下縁部に、半田の切断部と、この切断部の両側に位置する逃げ部と、この左右の逃げ部のさらに外側にそれぞれ位置する一対の位置決め部とを有する切断ブレード；及びこの切断ブレードの両側縁部を位置決めする一対の案内面と、上記位置決め部が当接する一対の位置規制面と、この一対の位置規制面の間にあって上記切断ブレードの切断部を露出させる露出部とを有するブレードホルダー；を備えた磁気ヘッドアッセンブリのリワーク用切断装置。【選択図】図４
2008210491.tif 000002
【特許請求の範囲】
【請求項１】
磁気ヘッドスライダの電極パッドとサスペンションの電極パッドが半田接合された磁気ヘッドアッセンブリの上記半田を切断して上記磁気ヘッドスライダをサスペンションから切り離す際に用いるリワーク用切断治具であって、
下縁部と両側縁部を有し、該下縁部に、上記半田の切断部と、この切断部の両側に位置する逃げ部と、この左右の逃げ部のさらに外側にそれぞれ位置する一対の位置決め部とを有する切断ブレード；及び
この切断ブレードの両側縁部を位置決めする一対の案内面と、上記位置決め部が当接する一対の位置規制面と、この一対の位置規制面の間にあって上記切断ブレードの切断部を露出させる露出部とを有するブレードホルダー；
を備えたことを特徴とする磁気ヘッドアッセンブリのリワーク用切断治具。
【請求項２】
請求項１記載のリワーク用切断治具において、上記切断ブレードの切断部先端及び一対の位置決め部先端は、同一直線上に位置している磁気ヘッドアッセンブリのリワーク用切断治具。
【請求項３】
請求項１または２記載のリワーク用切断治具において、上記ブレードホルダーは、切断ブレードの位置決め部をブレードホルダーの位置規制面に押圧する押圧手段と、該切断ブレードを固定するクランプ手段とを備えている磁気ヘッドアッセンブリのリワーク用切断治具。
【請求項４】
磁気ヘッドスライダの電極パッドとサスペンションの電極パッドが半田接合された磁気ヘッドアッセンブリの上記半田を切断して上記磁気ヘッドスライダをサスペンションから切り離す際に用いるリワーク用切断ブレードであって、
下縁部と両側縁部を有し、該下縁部に、上記半田の切断部と、この切断部の両側に位置する逃げ部と、この左右の逃げ部のさらに外側にそれぞれ位置する一対の位置決め部とを有することを特徴とする磁気ヘッドアッセンブリのリワーク用切断ブレード。
【請求項５】
請求項４記載のリワーク用切断ブレードにおいて、上記切断ブレードの切断部先端及び位置決め部先端は、同一直線上に位置している磁気ヘッドアッセンブリのリワーク用切断ブレード。
【発明の詳細な説明】
【技術分野】
【０００１】
本発明は、磁気ヘッドアッセンブリの磁気ヘッドスライダをサスペンションから切り離す際に用いるリワーク用切断治具及びその切断ブレードに関する。
【背景技術】
【０００２】
ハードディスクドライブ（ＨＤＤ）で使用される磁気ヘッドアッセンブリは、サスペンション上に、磁気ヘッドを組み込んだ磁気ヘッドスライダを固定し、サスペンションの電極パッド（群）と磁気ヘッドスライダの電極パッド（群）を半田接着している。
【０００３】
この種の磁気ヘッドアッセンブリには、出荷前に、動的な特性検査が実施される。動的な特性検査は、磁気ヘッドスライダをサスペンションに搭載（接着）した状態でスピンスタンド等に装着し、ハードディスクを実際に回転させた状態で行われるもので、磁気ヘッドスライダの良否を判定する最終的な特性検査である。この検査結果である動的特性が基準を満さなければ不良品と判断されるが、不良品と判断された磁気ヘッドアッセンブリは、すべてを破棄すると、歩留まりが低下し、好ましくない。
【０００４】
そこで従来では、不良の原因が磁気ヘッドスライダに存在する場合は、不良スライダをサスペンションから剥がして、サスペンションを再利用している。サスペンションから不良スライダを取り除く際には、磁気ヘッドスライダの電極パッド群とサスペンションを固定する接着剤の接着強度及び半田の接着強度を下げる必要があり、従来、加熱下で剥離力を加える等の各種の提案がなされてきた。
【特許文献１】特開平6-349901号公報
【特許文献２】特開平5-42495号公報
【特許文献３】特開2006-026692号公報
【特許文献４】特開2003-121327号公報
【特許文献５】特開2002-093092号公報
【特許文献６】実開平5-86492号公報
【発明の開示】
【発明が解決しようとする課題】
【０００５】
本発明は、特にサスペンションの電極パッドと磁気ヘッドスライダの電極パッドとを接続している半田を機械的に切断するのに好適な切断治具及び切断ブレードを得ることを目的とする。
【課題を解決するための手段】
【０００６】
本発明は、磁気ヘッドスライダの電極パッド（群）とサスペンションの電極パッド（群）を接合する半田（群）は直線状に並んでおり、該直線状の半田群の外側には、ＦＰＣの配線が存在することを考慮し、該ＦＰＣ配線を切断することなく、全ての半田を同時に切断することができるリワーク切断治具を提案するもので、下縁部と両側縁部を有し、該下縁部に、半田の切断部と、この切断部の両側に位置する逃げ部と、この左右の逃げ部のさらに外側にそれぞれ位置する一対の位置決め部とを有する切断ブレード；及びこの切断ブレードの両側縁部を位置決めする一対の案内面と、上記位置決め部が当接する一対の位置規制面と、この一対の位置規制面の間にあって上記切断ブレードの切断部を露出させる露出部とを有するブレードホルダー；を備えたことを特徴としている。
【０００７】
切断ブレードの切断部先端及び一対の位置決め部先端は、同一直線上に位置させるのが好ましい。
【０００８】
ブレードホルダーは、切断ブレードの位置決め部をブレードホルダーの位置規制面に押圧する押圧手段と、該切断ブレードを固定するクランプ手段とを備えるのがよい。
【０００９】
本発明のリワーク用切断治具は、切断すべき半田を加熱軟化させた状態で用いるのが一般的であるが、その使用態様は問わない。また、サスペンションと磁気ヘッドスライダの剥離手段も問わない。
【発明の効果】
【００１０】
本発明のリワーク用切断治具によれば、切断ブレードは、下縁部と両側縁部を有し、該下縁部に、半田の切断部と、この切断部の両側に位置する逃げ部と、この左右の逃げ部のさらに外側にそれぞれ位置する一対の位置決め部とを備えており、ブレードホルダーは、この切断ブレードの両側縁部を位置決めする一対の案内面と、位置決め部が当接する一対の位置規制面と、この一対の位置規制面の間にあって上記切断ブレードの切断部を露出させる露出部とを備えているので、切断ブレードの切断部を正しく半田群に正対させ、同時に切断することができる。また本発明のリワーク用切断ブレードによれば、半田群のみを切断し、半田群の両側のＦＰＣ配線を切断することがない。
【発明を実施するための最良の形態】
【００１１】
図１ないし図３は、本発明のリワーク用切断装置の適用対象となる、ハードディスクドライブ用の磁気ヘッドアッセンブリ１０を示している。磁気ヘッドアッセンブリ１０は、図１に全体の完成状態を示すように、金属材料からなるロードビーム１１と、このロードビーム１１に結合された板ばね状の可撓性を有する薄い金属板からなるフレキシャ１２と、このフレキシャ１２に接着固定された磁気ヘッドスライダ１３とを有している。
【００１２】
ロードビーム１１の基部からフレキシャ１２上には、磁気ヘッドスライダ１３に搭載された磁気ヘッドと外部回路とを導通接続するためのＦＰＣ基板１４が延びている。このＦＰＣ基板（の配線）１４は、フレキシャ１２上においては、図２、図３に示すように、磁気ヘッドスライダ１３の両側に延びて該スライダ１３の端面に回り込み、その回り込み端部に、一列に並ぶ電極パッド群１５が形成されている。磁気ヘッドスライダ１３は、これらの電極パッド群１５に半田群１６を介して接続されている電極パッド群１７を有している。この実施形態では、電極パッド群１５、１７及び半田群１６は、６個（６端子）である。
【００１３】
以上の完成状態の磁気ヘッドアッセンブリ１０は、実際の録再状態と同じ状態で検査される。そして、磁気ヘッドスライダ１３が不良と判断されたときにその不良の磁気ヘッドスライダ１３のみを除去して新品に交換し、ロードビーム１１、フレキシャ１２及びＦＰＣ基板１４を再利用するのが本発明で言うリワークである。
【００１４】
本実施形態は、このリワークに際し不良の磁気ヘッドスライダ１３をフレキシャ１２上から除去するために、半田群１６を切断するリワーク用切断治具２０を対象としており、図４ないし図７はその実施形態を示している。リワーク用切断治具２０は、切断ブレード３０とブレードホルダー４０を主たる構成要素としている。リワーク用切断治具２０は、切断装置にセットされ、図２、図３に模式的に示すように、その切断ブレード３０によってリワークに供される磁気ヘッドアッセンブリ１０の半田群１６を切断するものであるが、リワーク用切断治具２０にこのような運動を与える切断装置自体は知られており、本発明は切断装置を対象とするものではないので、切断装置自体の説明は省略する。
【００１５】
切断ブレード３０は、薄いカミソリの刃様の全体として平面矩形をなすもので、図７に平面形状を示すように、その下縁中心部に、切断部（刃）３１を有し、この切断部３１の左右両側に逃げ部（凹部）３２を介して位置決め部３３を有している。切断部３１の幅Ｗは、半田群１６を同時に切断することができる長さであり、左右の逃げ部（凹部）３２は、磁気ヘッドスライダ１３の両側のＦＰＣ基板（の配線）１４を逃げる長さである。具体的に、現状で幅Ｗは１ｍｍ程度である。位置決め部３３と切断部３１の先端は同一直線状に位置している。切断ブレード３０の両側縁は、位置決め部３３（切断部３１の延長線）と直交する案内縁３４を構成する。位置決め部３３と切断部３１は、同一直線状に位置させるのが実際的であるが、互いに平行にしてもよい。
【００１６】
以上の切断ブレード３０を支持するブレードホルダー４０は、図４ないし図７に示すように、基台４１を有し、この基台４１の中心部下方に左右一対の位置決め部材４２が固定され、中心部上方に押付ロッド支持ブロック４３が固定され、下端部に、位置決め部材４２との距離を保ってクランプねじ螺合バー４４が固定されている。一対の位置決め部材４２は、ブレード幅規制部４２ａと、ブレード高さ規制部４２ｂを有して左右対称のＬ字型をなしており、ブレード高さ規制部４２ｂは、基台４１の下方に突出している。左右のブレード幅規制部４２ａの内面は、切断ブレード３０の左右の案内縁３４に最小のクリアランスで対向する案内面４２ｃを構成しており、ブレード高さ規制部４２ｂの上面は、切断ブレード３０の位置決め部３３が当接してその下降端を規制する位置規制面４２ｄを構成している。左右のブレード高さ規制部４２ｂの間は、切断ブレード３０の切断部３１（及び逃げ部（凹部）３２）を露出させる露出部４２ｅを構成する。
【００１７】
押付ロッド支持ブロック４３には、押し当て棒４６のガイド穴４３ａが形成されている。押し当て棒４６は、切断ブレード３０の上縁に当接し、位置決め部３３を位置決め部材４２の位置規制面４２ｄに押し当てて位置決めする。押し当て棒４６は、切断ブレード３０の位置決め部３３をブレードホルダー４０の位置規制面４２に押圧する押圧手段を構成する。
【００１８】
基台４１の押当基準面４１ａとクランプねじ螺合バー４４との間には、位置決め部材４２の左右の案内面４２ｃにガイドされるクランプブロック４７が位置しており、クランプねじ螺合バー４４には、このクランプブロック４７を押当基準面４１ａに向けて押し付けるクランプねじ４８が螺合されている。クランプブロック４７とクランプねじ４８は切断ブレード３０のクランプ手段を構成する。
【００１９】
上記構成の本リワーク用切断治具２０は、次のように用いる。ブレードホルダー４０の押し当て棒４６を持ち上げ、クランプねじ４８を緩めてクランプブロック４７と押当基準面４１ａとの間に隙間を作った状態で、左右のブレード幅規制部４２ａ（案内面４２ｃ）の間に、切断部３１、逃げ部（凹部）３２、位置決め部３３を下方に向けた切断ブレード３０を挿入する。次に、押し当て棒４６を押し下げて切断ブレード３０をブレード高さ規制部４２ｂ（位置規制面４２ｄ）側に押すと、左右の位置決め部３３が左右の位置規制面４２ｄに当接して位置が定まる。このとき、切断部３１は、露出部４２ｅに正しく位置する。この状態で、クランプねじ４８を締めると、切断ブレード３０は、正しくブレードホルダー４０にセットされる。
【００２０】
以上のようにブレードホルダー４０に切断ブレード３０を保持したリワーク用切断治具２０は切断装置にセットされる。切断装置には同時に、該リワーク用切断治具２０の露出部４２ｅの下方に位置させてリワークに供される磁気ヘッドアッセンブリ１０がセットされる（すなわち、切断刃３１の下方に正しく切断される半田群１６を位置させる）。このとき、切断ブレード３０の切断部３１は、磁気ヘッドアッセンブリ１０をセットするセット台５０（図３、図４の表面と正しく平行をなす。
【００２１】
この状態において、磁気ヘッドアッセンブリ１０に対して切断治具２０を下降させると、切断刃３１によって正しく半田群１６を切断することができる。すなわち、切断ブレード３０の左右方向の位置は、案内縁３４と案内面４２ｃとの係合によって保証され、切断刃３１のフレキシャ１２に対する平行度は、位置決め部３３とブレードホルダー４０の位置規制面４２ｄとの当接によって保証されている（することができる）から、全ての半田群１６を同時に正しく切断することができる。
【００２２】
切断ブレード３０を位置規制面４２ｄに押し当てる押し当て棒４６は、省略することが可能であるが、切断ブレード３０が小さいことを考慮すると、設けることが好ましい。
【００２３】
以上のように、本実施形態は、切断ブレード３０に切断刃３１と特定の位置関係にある位置決め部３３と、両側縁３４を形成し、ブレードホルダー４０にこの位置決め部３３と両側縁３４を介して切断ブレード３０の位置を定める一対の位置規制面４２ｄと、一対の案内面４２ｃを設けたので、切断刃３１により正しく半田群１６を切断することができる。
【図面の簡単な説明】
【００２４】
【図１】本発明のリワーク用切断装置の適用対象となる、ハードディスクドライブ用の磁気ヘッドアッセンブリ（完成状態）の全体構造を示す平面図である。
【図２】図１のII部拡大図である。
【図３】図２の半田接合部を拡大して示す斜視図である。
【図４】本発明のリワーク用切断装置の一実施形態を示す正面図である。
【図５】図４のV-V線に沿う断面図である。
【図６】図４の分解斜視図である。
【図７】切断ブレード単体の平面図である。
【符号の説明】
【００２５】
１０  磁気ヘッドアッセンブリ
１１  ロードビーム
１２  フレキシャ
１３  磁気ヘッドスライダ
１４  ＦＰＣ基板
１５  電極パッド群
１６  半田群
１７  電極パッド群
２０  リワーク用切断治具
３０  切断ブレード
３１  切断部（刃）
３２  逃げ部（凹部）
３３  位置決め部
３４  案内縁
４０  ブレードホルダー
４１  基台
４１ａ  押当基準面
４２  位置決め部材
４２ａ  ブレード幅規制部
４２ｂ  ブレード高さ規制部
４２ｃ  案内面
４２ｄ  位置規制面
４２ｅ  露出部
４３  押付ロッド支持ブロック
４３ａ  ガイド穴
４４  クランプねじ螺合バー
４５  クランプブロック
４６  押し当て棒
４７  クランプブロック
４８  クランプねじ
５０  セット台
【図１】
2008210491.tif 000003
【図２】
2008210491.tif 000004
【図３】
2008210491.tif 000005
【図４】
2008210491.tif 000006
【図５】
2008210491.tif 000007
【図６】
2008210491.tif 000008
【図７】
2008210491.tif 000009